(57)【特許請求の範囲】
【請求項１】
機体吸込口と機体吹出口を対向して設けた箱状の機体の内部に遠心送風機を備え、この遠心送風機は、前記機体吹出口に対向した吐出口と、渦巻状のスクロールと、ケーシング吸込口を設けたケーシング側板とを側面に備え、前記遠心送風機の羽根車は、前記ケーシング吸込口近傍に固定したモーターにより駆動し、前記機体には、前記機体吸込口と前記機体吹出口を設けた面以外の面（以降、機体側面という）の全部または一部の内側に吸音材を貼り付け、この吸音材の前記遠心送風機側の面が、前記機体吸込口、前記機体吹出口の内縁よりも前記遠心送風機側になるように前記吸音材の厚さを設定し、さらに、前記機体吸込口、前記機体吹出口を設けた面の端辺から前記機体内面側に向かって傾斜した整流板を形成して、この整流板は前記吸音材の前記遠心送風機側の面にわたるように設けたことを特徴とする消音ボックス付送風機。
【請求項２】
前記整流板は、Ｌ字状の断面とし、一方の面を前記機体の内面に固定して前記機体側面の補強を行うことを特徴とする請求項１記載の消音ボックス付送風機。
【請求項３】
前記整流板は、前記機体内側の端部が、前記吸音材の遠心送風機側の面よりも内側になるようにした請求項１または２記載の消音ボックス付送風機。
【請求項４】
前記整流板の前記機体内側の端部に、前記機体側面の吸音材側に向かう曲げ部を形成する構成としたことを特徴とする請求項１から３のいずれか一つに記載の消音ボックス付送風機。
【請求項５】
前記機体側面を構成する複数の外装板の接合をねじの固定とし、このねじの前記機体内面側の先端を前記吸音材に差し込む構成としたことを特徴とする請求項１から４のいずれか一つに記載の消音ボックス付送風機。
【請求項６】
前記ケーシング吸込口に対向する前記機体の一面に点検用開口部を前記機体に備え、この点検用開口部を点検板によって閉塞し、この点検板の前記機体内側となる面に前記吸音材を貼り付ける構成したことを特徴とする請求項１から５のいずれか一つに記載の消音ボックス付送風機。
【請求項７】
前記点検板に貼り付けた前記吸音材に接する前記整流板は、前記点検板以外の外装板に固定したことを特徴とする請求項６記載の消音ボックス付送風機。
【請求項８】
前記機体側面を構成する外装板は、その前記機体吸込口、前記機体吹出口側の端部を前記機体内面側に折り曲げて整流板を形成する構成としたことを特徴とする請求項１から７のいずれか一つに記載の消音ボックス付送風機。
【請求項９】
前記機体側面を構成する外装板の端部を前記機体内面側に折り曲げた整流板同士を面接触し、接触面をねじ固定して複数の外装板を接合する構成としたことを特徴とする請求項８記載の消音ボックス付送風機。
【請求項１０】
前記整流板同士を固定するねじの先端を前記吸音材に差し込む構成としたことを特徴とする請求項８または９記載の消音ボックス付送風機。
【発明の詳細な説明】
【技術分野】
【０００１】
本発明は、換気送風機器など消音ボックス内部に送風機を内蔵して使用される消音ボックス付送風機に関する。
【背景技術】
【０００２】
従来、消音ボックス付送風機としては、機体吸込口の開口寸法よりも、対向した吸音材間の距離を大きくして、機体吸込口側から見て吸音材端部（内側の面）が露出しないように機体吸込口を縮小したものが知られている（例えば、特許文献１参照）。
【０００３】
以下、その消音ボックス付送風機について図６を参照しながら説明する。
【０００４】
図６に示すように、機体吸込口１０１と機体吹出口１０２を対向して設けた箱状の機体１０３の内部に遠心送風機１０４を備えている。機体１０３の内部であって、機体吸込口１０１と機体吹出口１０２を設けていない面には、吸音材１０５が貼り付けてある。機体吸込口１０１から吸い込まれた内部気流１０６が、吸音材１０５の機体吸込口１０１側の面に衝突しないように、吸音材端部１０７（吸音材１０５の遠心送風機１０４側の面）が機体吸込口１０１側から見て、機体吸込口１０１の内縁よりも内側に露出しないようにしている。そして、機体吸込口１０１を縮小するとともに、吸音材１０５の厚さを薄くして、吸音材１０５が内部気流１０６により剥がれることを防止している。また、吸音材１０５の吸音性能をカバーするため背面吸音材１０８を配置し、遠心送風機１０４の背面に背面吸音材１０８を密着固定するための爪状部１０９を背面吸音材１０８に食い込ませた構成としたものである。
【先行技術文献】
【特許文献】
【０００５】
【特許文献１】特開２００７−２１１７３２号公報
【発明の概要】
【発明が解決しようとする課題】
【０００６】
このような従来の消音ボックス付送風機では、内部気流が機体の内面の吸音材に衝突することにより、吸音材が剥がれることを防止するため、吸音材端部が露出しないように、機体吸込口を小さく形成するとともに、吸音材の厚さを薄くすることが必要であった。そのため、小さくした機体吸込口の圧力損失により風量が低減していた。また、吸音性能確保のために機体内面の吸音材以外に追加の吸音材を遠心送風機の背面に密着固定するため、吸音材の固定用の爪状部などの形成が必要であるという課題がある。
【０００７】
そこで本発明は、このような従来の課題を解決するものであり、機体の内面の吸音材の厚さを確保するとともに、機体吸込口と機体吹出口を拡大でき、また簡易な吸音材固定の構造としながら機体内面の吸音材が内部気流により剥がれることを防止できる消音ボックス付送風機を提供することを目的とする。
【課題を解決するための手段】
【０００８】
本発明の消音ボックス付送風機は、上記目的を達成するために、機体吸込口と機体吹出口を対向して設けた箱状の機体の内部に遠心送風機を備え、この遠心送風機は、前記機体吹出口に対向した吐出口と、渦巻状のスクロールと、ケーシング吸込口を設けたケーシング側板とを側面に備え、前記遠心送風機の羽根車は、前記ケーシング吸込口近傍に固定したモーターにより駆動し、前記機体には、前記機体吸込口と前記機体吹出口を設けた面以外の面（以降、機体側面という）の全部または一部の内側に吸音材を貼り付け、この吸音材の前記遠心送風機側の面が、前記機体吸込口、前記機体吹出口の内縁よりも前記遠心送風機側になるように前記吸音材の厚さを設定し、さらに、前記機体吸込口、前記機体吹出口を設けた面の端辺から前記機体内面側に向かって傾斜した整流板を形成して、この整流板は前記吸音材の前記遠心送風機側の面にわたるように設けたことにより、所期の目的を達成するものである。
【発明の効果】
【０００９】
本発明によれば、体吸込口と機体吹出口を対向して設けた箱状の機体の内部に遠心送風機を備え、この遠心送風機は、前記機体吹出口に対向した吐出口と、渦巻状のスクロールと、ケーシング吸込口を設けたケーシング側板とを側面に備え、前記遠心送風機の羽根車は、前記ケーシング吸込口近傍に固定したモーターにより駆動し、前記機体には、前記機体吸込口と前記機体吹出口を設けた面以外の面（以降、機体側面という）の全部または一部の内側に吸音材を貼り付け、この吸音材の前記遠心送風機側の面が、前記機体吸込口、前記機体吹出口の内縁よりも前記遠心送風機側になるように前記吸音材の厚さを設定し、さらに、前記機体吸込口、前記機体吹出口を設けた面の端辺から前記機体内面側に向かって傾斜した整流板を形成して、この整流板は前記吸音材の前記遠心送風機側の面にわたるように設けたことにより、機体の内面側に向かって傾斜した整流板が吸音材端部を覆いながら接しており、機体の内部気流は整流板に沿って流れ、吸音材と機体の間に流入することがないため、吸音材の機体からの剥がれを防止することができるという作用を有する。従って、機体吸込口と機体吹出口を拡大して風量を確保しながら、機体内面の吸音材が内部気流により剥がれることを防止できるという効果のある消音ボックス付送風機を提供することができる。
【図面の簡単な説明】
【００１０】
【図１】本発明の実施の形態１の消音ボックス付送風機の内部構造を示す平面図
【図２】同消音ボックス付送風機の機体吸込口側から見た図
【図３】同消音ボックス付送風機の設置状態を示す側面図
【図４】本発明の実施の形態２の消音ボックス付送風機の内部構造を示す平面図
【図５】本発明の実施の形態３の消音ボックス付送風機の内部構造を示す平面図
【図６】従来の消音ボックス付送風機の内部構造を示す平面図
【発明を実施するための形態】
【００１１】
本発明の請求項１記載の消音ボックス付送風機は、機体吸込口と機体吹出口を対向して設けた箱状の機体の内部に遠心送風機を備え、この遠心送風機は、前記機体吹出口に対向した吐出口と、渦巻状のスクロールと、ケーシング吸込口を設けたケーシング側板とを側面に備え、前記遠心送風機の羽根車は、前記ケーシング吸込口近傍に固定したモーターにより駆動し、前記機体には、前記機体吸込口と前記機体吹出口を設けた面以外の面（以降、機体側面という）の全部または一部の内側に吸音材を貼り付け、この吸音材の前記遠心送風機側の面が、前記機体吸込口、前記機体吹出口の内縁よりも前記遠心送風機側になるように前記吸音材の厚さを設定し、さらに、前記機体吸込口、前記機体吹出口を設けた面の端辺から前記機体内面側に向かって傾斜した整流板を形成して、この整流板は前記吸音材の前記遠心送風機側の面にわたるように設けたものであり、機体の内部気流は整流板に沿って流れ、吸音材と機体の間に流入することがないため、吸音材の機体からの剥がれを防止することができるという作用を有するので、機体吸込口と機体吹出口を拡大して風量を確保しながら、機体内面の吸音材が内部気流により剥がれることを防止できるという効果を奏する。
【００１２】
また、前記整流板は、Ｌ字状の断面とし、一方の面を前記機体の内面に固定して前記機体側面の補強を行うものであり、機体の内部の風路の内部気流により発生する外装板の振動を抑えられるため、吸音材の機体からの剥がれを防止することができるという作用を有するので、外装板の振動を抑え、機体内面の吸音材が振動により剥がれることを防止できるという効果を奏する。
【００１３】
また、前記整流板は、前記機体内側の端部が、前記吸音材の遠心送風機側の面よりも内側になるものであり、整流板の表面が吸音材端部を押さえつける位置となるため、吸音材の機体からの剥がれを防止することができるという作用を有するので、機体内面の吸音材が内部気流により剥がれることを防止できるという効果を奏する。
【００１４】
また、前記整流板の端部に、前記機体側面の吸音材側に向かう曲げ部を形成したものであり、機体内面の内部気流は整流板に衝突することなくスムーズに流れるため、機体内部の圧力損失が少なくなり風量を確保でき、また整流板の曲げ部が吸音材を押さえつけることができるという作用を有するので、機体吸込口と機体吹出口を拡大して風量を確保しながら、機体内面の吸音材が内部気流により剥がれることを防止できるという効果を奏する。
【００１５】
また、前記機体側面を構成する複数の外装板の接合をねじの固定とし、このねじの前記機体内面側の先端を前記吸音材に差し込むものであり、吸音材をねじ先端にて保持することができるという作用を有するので、部品点数を増やすことなく、機体内面の吸音材が内部気流により剥がれることを防止できるという効果を奏する。
【００１６】
また、前記ケーシング吸込口に対向する前記機体の一面に点検用開口部を前記機体に備え、この点検用開口部を点検板によって閉塞し、この点検板の前記機体内側となる面に前記吸音材を貼り付けるものであり、吸音材と点検板を一体で取り外すことができるという作用を有するので、点検板の取り外し性がよく、点検用開口部からのメンテナンス性を良くできるという効果を奏する。
【００１７】
また、前記点検板に貼り付けた前記吸音材に接する前記整流板は、前記点検板以外の外装板に固定したものであり点検板への整流板の形成が不要となるため、点検板を簡易な平板形状とすることができるという作用を有するので、点検板の取り外し性がよく、点検用開口部からのメンテナンス性を良くできるという効果を奏する。
【００１８】
また、前記機体側面を構成する外装板は、その前記機体吸込口、前記機体吹出口側の端部を前記機体内面側に折り曲げて整流板を形成するものであり、整流板を別部品で形成することを不要とすることができるという作用を有するので、外装板を簡易な構造とすることができるという効果を奏する。
【００１９】
また、前記機体側面を構成する外装板の端部を前記機体内面側に折り曲げた整流板同士を面接触し、接触面をねじ固定して複数の外装板を接合するものであり、整流板が二重板となるため、外装板の振動を整流板にて抑えることができるという作用を有するので、外装板の振動を抑え、機体内面の吸音材が振動により剥がれることを防止できるという効果を奏する。
【００２０】
また、前記整流板同士を固定するねじの先端を前記吸音材に差し込むものであり、吸音材をねじ先端にて保持することができるという作用を有するので、部品点数を増やすことなく、機体内面の吸音材が内部気流により剥がれることを防止できるという効果を奏する。
【００２１】
以下、本発明の実施の形態について、図面を参照しながら説明する。
【００２２】
（実施の形態１）
図１および図２に示すように、本実施の形態の消音ボックス付送風機は、機体吸込口１と機体吹出口２を箱状の機体３の対向する側面に設けている。機体３の内部には、遠心送風機４が備えられている。遠心送風機４は、機体吹出口２に対向した吐出口５と、渦巻状のスクロール６と、さらに、ケーシング吸込口７を設けたケーシング側板８を側面に備えている。遠心送風機４の羽根車９は、ケーシング吸込口７近傍に固定したモーター１０により駆動される。機体３の内面であって、機体吸込口１と機体吹出口２を設けた面以外の面（機体側面という）には、吸音材１１がはりつけられている。この吸音材１１の遠心送風機４に対向した面（吸音材端部１２）は、機体吸込口１（あるいは機体吹出口２）側から見て、機体吸込口１（あるいは機体吹出口２）の内側端部よりも遠心送風機４側に突出するようにしている。すなわち、対向した吸音材端部１２間の距離（吸音材間距離Ｌ１）は、機体吸込口１（あるいは機体吹出口２）の開口寸法Ｌ２よりも小さくなっている。また、吸音材１１は、機体側面全体に貼り付けるのではなく、機体吸込口１（あるいは機体吹出口２）側には吸音材１１を貼り付けない部分を設け、この機体吸込口１（あるいは機体吹出口２）を設けた面と吸音材１１の貼付部との間に、整流板１５を設ける。この整流板１５は、一辺を機体吸込口１（あるいは機体吹出口２）側の外装板１４に固定し、その対辺（機体内面側端部１８）を吸音材１１の遠心送風機４側の端部に渡すような傾斜をつけている。すなわち、整流板１５は機体３の内部の風路１６に面した吸音材端部１２を覆いながら接する構成とする。
【００２３】
また、本実施の形態では、この整流板１５は、断面がＬ字状の補強板１７を用いて、その一面を整流板１５とし、他の一面を機体３内面に固定する構成としている。
【００２４】
また、整流板１５の機体内面側端部１８は、吸音材１１の遠心送風機４側の面（吸音材端部１２）よりも機体３の内側に位置している。さらに、その整流板１５の機体内面側端部１８は、機体側面の吸音材１１側に向かう曲げ部１９を形成している。
【００２５】
機体３を構成する複数の外装板１４は、ねじ２０によって接合固定している。ねじ２０の先端は、吸音材１１に差し込んである。
【００２６】
図３に示すように、天井裏３０において機体吸込口１に吸込側ダクト３１、機体吹出口２に吹出側ダクト３２を接続して機体３は施工される。機体３は、吸込側に機体吸込口１、吹出側に機体吹出口２、機体３の内部に遠心送風機４を配している。天井裏３０と室内３３は天井材３５で仕切られ、天井材３５の機体３の下部に天井点検口３６を備えている。
【００２７】
本実施の形態の消音ボックス付送風機は、遠心送風機４を運転すると、室内３３の空気は、吸込側ダクト３１、遠心送風機４を介して吹出側ダクト３２を通過し、室外３４に排気されることになる。
【００２８】
このような構成によれば、機体３の内面側に向かって傾斜した整流板１５が吸音材端部１２を覆いながら接していることにより、機体吸込口１から吸い込まれた機体３の内部気流３７は整流板１５に沿って流れることになる。そして、この内部気流３７は、吸音材１１と機体３の間に流入することがないため、吸音材１１の機体３からの剥がれを防止することができる。
【００２９】
また、断面がＬ字状の補強板１７の一面を整流板１５としていることにより、機体３の内部の風路１６の内部気流３７により発生する外装板１４の振動を補強板１７にて抑えられるため、吸音材１１の機体３からの剥がれを防止することができる。
【００３０】
また、整流板１５の機体内面側端部１８を吸音材１１よりも機体３内面側に延長していることにより、整流板１５の表面が吸音材端部１２を押さえつける位置となるため、吸音材１１の機体３からの剥がれを防止することができる。
【００３１】
また、整流板１５の機体内面側端部１８に、機体側面の吸音材１１側に向かう曲げ部１９を形成することにより、機体３内面の内部気流３７は整流板１５に衝突することなくスムーズに流れながら、機体３内部の圧力損失が少なくなり風量を確保でき、また整流板１５の曲げ部１９が吸音材１１を押さえつけることができる。
【００３２】
また、ねじ２０の機体３内面側の先端を吸音材１１に差し込むことにより、部品点数を増やすことなく、吸音材１１をねじ先端にて保持することができる。
【００３３】
（実施の形態２）
本発明の第２の実施の形態について、図４を用いて説明する。第１の実施の形態と同じ構成については同じ符号を付してその詳細な説明を省略する。
【００３４】
図４に示すように、本実施の形態による消音ボックス付送風機は、遠心送風機４のケーシング吸込口７に対向する機体３の一面に点検用開口部４０を備えている。この点検用開口部４０を点検板４１によって閉塞し、この点検板４１の内側に吸音材１１を貼り付ける構成とする。また、点検板４１に貼り付けた吸音材１１に接する整流板１５は、点検板４１以外の外装板１４に固定している。
【００３５】
上記構成により、点検用開口部４０を閉塞する点検板４１に吸音材１１を配置することにより、吸音材１１と点検板４１を一体で取り外すことができる。
【００３６】
また、整流板１５を点検板４１以外の外装板１４に配置することにより、点検板４１への整流板１５の形成が不要となるため、点検板４１を簡易な平板形状とすることができる。
【００３７】
このように本発明の実施の形態２の消音ボックス付送風機によれば、点検板４１の取り外し性がよく、点検用開口部４０からの遠心送風機４のメンテナンス性を良くできる。
【００３８】
（実施の形態３）
本発明の第３の実施の形態について、図５を用いて説明する。第１、第２の実施の形態と同じ構成については同じ符号を付してその詳細な説明を省略する。
【００３９】
図５に示すように、本実施の形態による消音ボックス付送風機は、外装板１４の端部を機体３内面側に折り曲げて整流板１５を形成する構成とする。
【００４０】
また、外装板１４の端部を機体３内面側に折り曲げた整流板１５同士を面接触し、接触面をねじ４２で固定して複数の外装板１４を接合する構成とする。
【００４１】
また、整流板１５同士を固定するねじ４２の先端を吸音材１１に差し込む構成とする。
【００４２】
上記構成により、外装板１４の端部を機体３内面側に折り曲げて整流板１５を形成することにより、整流板１５を別部品で形成することを不要とすることができる。
【００４３】
また、整流板１５同士の接触面をねじ４２で固定して複数の外装板１４を接合することにより、整流板１５が二重板となるため、外装板１４の振動を整流板１５にて抑えることができる。
【００４４】
また、ねじ４２の先端を吸音材１１に差し込むことにより、吸音材１１をねじ４２先端にて保持することができる。
【００４５】
このように本発明の実施の形態３の消音ボックス付送風機によれば、外装板１４を簡易な構造とすることができる。
【００４６】
また、外装板１４の振動を抑え、機体３内面の吸音材１１が振動により剥がれることを防止できる。
【００４７】
また、部品点数を増やすことなく、機体３内面の吸音材１１が内部気流３７により剥がれることを防止できる。
【産業上の利用可能性】
【００４８】
換気送風機器などの空気搬送目的以外に、排気構造を用いて設備機器の冷却ができ、コンパクトに設置できる設備機器の送風の用途にも適用できる。
【符号の説明】
【００４９】
１    機体吸込口
２    機体吹出口
３    機体
４    遠心送風機
５    吐出口
６    スクロール
７    ケーシング吸込口
８    ケーシング側板
９    羽根車
１０  モーター
１１  吸音材
１２  吸音材端部
１４  外装板
１５  整流板
１６  風路
１７  補強板
１８  機体内面側端部
１９  曲げ部
２０  ねじ
３７  内部気流
４０  点検用開口部
４１  点検板
４２  ねじ
Ｌ１  吸音材間距離
Ｌ２  開口寸法
【図１】
0005407917.tif 000002
【図２】
0005407917.tif 000003
【図３】
0005407917.tif 000004
【図４】
0005407917.tif 000005
【図５】
0005407917.tif 000006
【図６】
0005407917.tif 000007